(57)【要約】【課題】原稿押圧板の閉止時に、原稿端部を保持して、コンタクトガラス上の原稿が位置ズレすることを防止する手段を提供する。【解決手段】コンタクトガラス１１と、コンタクトガラス１１を閉鎖するブックカバー５とを備える複合機１において、原稿セット基準面に、コンタクトガラス１１との間で原稿１４の端部を保持する保持手段を備え、前記保持手段は、原稿セット基準面の下端から上端に向かって、コンタクトガラス１１の内側へ突出形成される傾斜面１２ａとした。【選択図】  図４
2004163835.tif 000002
【特許請求の範囲】
【請求項１】
原稿載置面と、該原稿載置面を覆う原稿押圧板とを備える画像読取装置において、
原稿セット基準面の少なくとも一方に、原稿載置面との間で原稿の端部を保持する保持手段を備えた、ことを特徴とする画像読取装置。
【請求項２】
前記保持手段は、セット基準面の下端から上端に向かって、原稿載置面の内側へ突出形成される、ことを特徴とする請求項１に記載の画像読取装置。
【請求項３】
前記保持手段は、原稿セット基準面に形成する傾斜面とした、ことを特徴とする請求項２に記載の画像読取装置。
【発明の詳細な説明】
【０００１】
【発明の属する技術分野】
本発明は、画像読取装置に関し、特に、原稿載置面上の原稿の位置決め性を向上させる技術に関する。
【０００２】
【従来の技術】
従来より、ブックスキャナには、装置本体と対向するユーザの左手（もしくは右手）奥側に、原稿セット基準が設けられている。開閉可能な原稿押圧板を備えるブックスキャナに、ユーザが原稿をセットする際には、前記原稿セット基準に合わせて原稿を載置し、原稿押圧板を閉じる。
このとき、原稿端部がカールしていると、原稿押圧板の閉止動作の際に、原稿とコンタクトガラスとの隙間（原稿端部の下側）に風流が入り込んで、原稿が位置ズレを起こしてしまう。
このような位置ズレを防止して、ブックスキャナ上の原稿の位置決め性を向上させる技術として、例えば、特許文献１に示す技術がある。該技術では、カールした原稿が、原稿押圧板の閉鎖前に丸まって、コンタクトガラスより浮き上がってしまうことを防止する手段を設けている。
【０００３】
【特許文献１】
特開２０００−１６８９９６号公報
【０００４】
【発明が解決しようとする課題】
前記特許文献１に示される技術では、原稿の浮き上がりを防止する手段を、原稿セット基準（該文献中の表現は原稿スケール）の上方に設けるガイド部としている。
ところが、原稿セット基準はコンタクトガラスに対して垂直に形成されているので、コンタクトガラスと前記ガイド部との間では、原稿は上下に移動する状態となっている。このため、原稿端部がカールしている場合には、原稿押圧板の閉止動作の際に、やはり風流が原稿とコンタクトガラスとの隙間に入り込み、原稿が位置ズレを起こしてしまう。
そして、位置ズレを起こした状態で原稿の読み取りが行われると、プリントした画像に歪みが発生する。
そこで本発明は、原稿押圧板の閉止時に、原稿端部を保持して、コンタクトガラス上の原稿が位置ズレすることを防止する手段を提供する。
【０００５】
【課題を解決するための手段】
本発明の解決しようとする課題は以上の如くであり、次に該課題を解決するための手段を説明する。
請求項１においては、原稿載置面と、該原稿載置面を覆う原稿押圧板とを備える画像読取装置において、原稿セット基準面の少なくとも一方に、原稿載置面との間で原稿の端部を保持する保持手段を備えたので、
特別なロック手段等を用いることなく、原稿の位置ズレを防止でき、原稿セット基準面の形成を容易なものとすることができる。そして、原稿の位置ズレの防止により、プリントの歪みの発生が防止される。したがって、コストアップを招くことなく、プリントの歪みを防止する手段が提供される。
【０００６】
請求項２においては、前記保持手段は、セット基準面の下端から上端に向かって、原稿載置面の内側へ突出形成されるので、
原稿セット基準面により原稿の上方への移動が規制され、原稿押圧板の開閉を行っても、原稿がズレることが防止される。したがって、原稿のプリントが歪むことがない。
【０００７】
請求項３においては、前記保持手段は、原稿セット基準面に形成する傾斜面としたので、
原稿の位置ズレが防止される。したがって、原稿のプリントが歪むことがない。
【０００８】
【発明の実施の形態】
これより、本発明の画像読取装置の一実施の形態である複合機１について説明する。
図１に示すように、複合機１は、画像読取装置であるブックスキャナ２と、ブックスキャナ２の下方に位置するプリンタ３とを備えている。
【０００９】
ブックスキャナ２は、スキャナ本体４と、該スキャナ本体４に対して回動自在のブックカバー５とを備え、スキャナ本体４の一側には複合機１の操作パネル６が付設される。ブックカバー５は、自動原稿給送装置（以下ＡＤＦ）７と、該ＡＤＦ７に原稿を供給する給紙トレイ８とを備えると共に、該ブックカバー５の上面はＡＤＦ７から排出される原稿の排出トレイ５ａに形成されている。
なお、操作パネル６の配設側を、複合機１において正面側とする。
【００１０】
プリンタ３は、プリンタ本体９と、該プリンタ本体９の下方に配置する給紙カセット１０・１０を備えている。プリンタ本体９の正面側の上面には、プリンタ３の排出トレイ９ａが形成されている。
【００１１】
図２に示すように、スキャナ本体４の上面には、ブックスキャナ２において原稿載置面となるコンタクトガラス１１が配置される。スキャナ本体４内部で、該コンタクトガラス１１の下方には、光源やミラーを備え左右に移動可能とされる走査体や、該走査体からの画像光を受光する撮像素子等からなる画像形成手段が配置されている。そして、コンタクトガラス１１上に載置された原稿の画情報を、前記画像形成手段により読み取るものである。
スキャナ本体４に対して回動可能とされるブックカバー５は、コンタクトガラス１１上に原稿を押圧するための原稿押圧板であり、ブックカバー５の閉鎖により、原稿がコンタクトガラス１１上に固定される。
【００１２】
図３に示すように、コンタクトガラス１１上には、原稿セット基準を特定するための基準部材１２・１３が設けられている。操作パネル６に対向するユーザより見て、基準部材１２は左側に位置し、基準部材１３は奥側に位置する。基準部材１２・１３には、原稿サイズを示す目盛り等が記されている。
ユーザは、コンタクトガラス１１上に載置した原稿を、基準部材１２・１３に突き当てるように移動させて、読取り原稿の位置決めを行う。基準部材１２・１３の原稿との当接面（コンタクトガラス１１中央側の面）をそれぞれ、原稿セットの基準面とする。
【００１３】
図４に示すように、基準部材１２において、原稿セット基準面の下部は傾斜面１２ａとし、該傾斜面１２ａとコンタクトガラス１１との間に原稿１４が入り込めるようにしている。
ここで、コンタクトガラス１１と傾斜面１２ａとのなす角は、鋭角である。傾斜面１２ａは、基準部材１２を長手方向の断面で、下側かつコンタクトガラス１１中央側の角を切欠いて形成されるものである。
傾斜面１２ａの上側には、コンタクトガラス１１に対して垂直となる垂直面１２ｂとなっている。そして、傾斜面１２ａと垂直面１２ｂとで、基準部材１２の原稿セット基準面が形成されるものとなっている。
つまり、原稿セット基準面は、下側にいくほど、基準部材１２の内部側に位置するものとなっており、全体として（基準部材１２の長手方向における）断面視で、三角形状の隙間が形成されるものとなっている。
【００１４】
以上構成の基準部材１２に原稿１４を突き当てると、原稿１４の端部の角が、基準部材１２の傾斜面１２ａと当接する。ここで、原稿１４の端部の角は、斜め上方で傾斜面１２ａに押し付けられているので、原稿１４の基準部材１２側への移動と上方への移動とが、同時に規制される。
一方、基準部材１３も同様の構成であり、傾斜面と垂直面とから、原稿セット基準面が形成されるものである。
そして、基準部材１２・１３により、原稿１４の上方への移動が規制されるため、ブックカバー５の開閉を行っても、原稿１４がズレることが防止される。したがって、該原稿１４のプリントが歪むことがない。
【００１５】
なお、原稿端部の上下動の規制により、ブックカバー５の閉鎖時に原稿がズレることがないのは、次の理由による。
原稿１４の端部がカールしていて、該端部がコンタクトガラス１１より浮き上がっていると、ブックカバー５を閉鎖した際に、原稿１４とコンタクトガラス１１との隙間（前記端部の下側）に風流が入り込んでしまう。
原稿１４の外周四箇所の端部１４ａ・１４ｂ・１４ｃ・１４ｄのうち、例えば端部１４ａで浮き上がりが発生すると、原稿１４は端部１４ｃ側（図３中右側）へ付勢される。なお、端部１４ａ・１４ｃは対向しており、端部１４ｂ・１４ｄが対向している。
つまり、前記風圧により、浮き上がった端部と対向する端部側に向けて、原稿は付勢されて、位置ズレが発生することがある。
ここで、端部１４ａ・１４ｂは基準部材１２・１３により外側（反コンタクトガラス１１中央側）への移動が規制されているので、これらと対向する端部１４ｂ・１４ｄで浮き上がりが発生しても、原稿がズレることがない。
したがって、開放側である端部１４ｃ・１４ｄに対して、規制側となる端部１４ａ・１４ｂでの浮き上がりを防止すれば、原稿１４の風圧による位置ズレの発生は防止されることになる。
【００１６】
ここで、基準部材に形成される基準面が垂直面のみである場合（従来の場合）は、原稿の上下動が規制されていないので、前記風圧の大きさによっては、前記隙間より進入した空気により、浮き上げられてしまう。逆にいえば、本実施の形態のように、原稿セット基準面に傾斜面を形成して、原稿端部の上下動を規制することで、原稿の浮き上がりを制止することが可能である。
【００１７】
本実施の形態では、図３に示すように、基準部材１２・１３を、操作パネル６に正対するユーザより見て、左側および奥側に配置している。そして、傾斜面を有する原稿セット基準面を、コンタクトガラス１１の直交する二辺に配置するものとしている。
このため、ブックカバー５の閉鎖による風圧によって、原稿１４が前後方向および左右方向のいずれの方向にもズレることがない。したがって、原稿１４のプリントの歪みがどの方向にも発生することがない。
【００１８】
また、原稿セット基準の基準面の形状を、次のような構成としても良い。
図５に示すように、基準部材１５において、原稿セット基準面の下部の傾斜面は、該基準面とコンタクトガラス１１との間に隙間が形成されるように、曲面１５ａとしている。基準部材１５の長手方向より見た断面で、曲面１５ａの描く曲線は、下端で基準部材１５の内部側に位置し、上方へ向かうにつれ、コンタクトガラス１１の中央側に位置するようになり、上端では基準部材１５の前端面と一致している。曲面１５ａの上方は、コンタクトガラス１１に対して垂直な垂直面１５ｂである。
以上のように、基準面の下部の傾斜面を、下に凸となる曲面１５ａとしても、基準面を傾斜面１２ａとした場合と同様の効果がある。加えて、基準面の下部を、上に凸となる曲面としても、同様である。
【００１９】
以上における特徴的要素をまとめる。
ブックスキャナ２は、原稿載置面であるコンタクトガラス１１を覆う原稿押圧板としてブックカバー５を備えている。
また、ブックスキャナ２においては、原稿セット基準面に傾斜面を形成している。該傾斜面は、基準部材１２・１３の下部に、すなわち、原稿セット基準面の下端から上端に向かって、コンタクトガラス１１の内側へ突出形成されるものである。
そして、原稿セット基準面に形成される内側突出部は、下端で基準部材１５の内部側に位置し、上方へ向かうにつれ、コンタクトガラス１１の中央側に位置するようになるため、原稿１４の端部の上下動を制止するものであり、原稿端部の保持手段を構成している。
【００２０】
特に、前記保持手段を原稿セット基準面に形成する傾斜面とすることにより、特別なロック手段等を用いることなく、原稿の位置ズレを防止でき、原稿セット基準面の形成を容易なものとすることができる。そして、原稿の位置ズレの防止により、プリントの歪みの発生が防止される。したがって、コストアップを招くことなく、プリントの歪みを防止する手段が提供される。
【００２１】
また、前記保持手段の構成としては、原稿セット基準面に形成する傾斜面に限定されるものではなく、原稿セット基準面の下端から上端に向かって、コンタクトガラス１１の内側へ突出形成されるものであれば、他の構成であっても良い。例えば、曲面形状や側面視折れ線状となる複数の平面の連結等であってもよい。
そして、このように保持手段を構成することで、原稿セット基準面により原稿の上方への移動が規制され、原稿押圧板の開閉を行っても、原稿がズレることが防止される。したがって、原稿のプリントが歪むことがない。
【００２２】
また、前記保持手段の構成によらず、原稿セット基準面に、コンタクトガラス１１との間で原稿端部を保持する保持手段をブックスキャナ２に備えることで、原稿の位置ズレが防止される。したがって、原稿のプリントが歪むことがない。
【００２３】
なお、本実施の形態では、互いに直交する原稿セット基準面の双方に、原稿端部の保持手段を備えるものとしている。一方の原稿セット基準面に該保持手段を設ける構成であっても、前述の効果は得られるものである。したがって、一方の原稿セット基準面に該保持手段を設ける構成としてもよい。
また、原稿セット基準面を複数備える場合には、本実施の形態の用に、各原稿セット基準面に前記保持手段を設けることで、より一層原稿位置ズレ防止の効果を図ることができる。
【００２４】
【発明の効果】
請求項１記載の如く構成したので、原稿のプリントが歪むことがない。
【００２５】
請求項２記載の如く構成したので、原稿のプリントが歪むことがない。
【００２６】
請求項３記載の如く構成したので、コストアップを招くことなく、プリントの歪みを防止する手段が提供される。
【図面の簡単な説明】
【図１】複合機１を示す斜視図である。
【図２】ブックカバー５の開状態を示す複合機１上部の斜視図である。
【図３】スキャナ本体４の上面を示す平面図である。
【図４】基準部材１２と原稿１４との当接部を示す正面断面図である。
【図５】基準部材１５と原稿１４との当接部を示す正面断面図である。
【符号の説明】
１  複合機
５  ブックカバー
１１  コンタクトガラス
１２・１３  基準部材
１２ａ  傾斜面
１４  原稿
【図１】
2004163835.tif 000003
【図２】
2004163835.tif 000004
【図３】
2004163835.tif 000005
【図４】
2004163835.tif 000006
【図５】
2004163835.tif 000007